【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
第１方向に延在する複数の走査電極と、
前記複数の走査電極と対向して設けられ、かつ前記第１方向と交差する第２方向に延在する複数の検出電極と
を備え、
前記複数の走査電極のうち、所望の単位で選択されて選択パルスが印加される１または複数の被選択走査電極と、前記複数の検出電極のうちの第１検出電極との間に形成される容量に占めるフリンジ容量の割合が、前記１または複数の被選択走査電極と、前記複数の検出電極のうちの第２検出電極との間に形成される容量に占めるフリンジ容量の割合と異なる
タッチパネル。
【請求項２】
前記第１検出電極が、前記第２検出電極に隣接して配置されている
請求項１に記載のタッチパネル。
【請求項３】
前記第１検出電極の形状が、前記第２検出電極の形状と異なる
請求項１または請求項２に記載のタッチパネル。
【請求項４】
前記第１検出電極の線幅が、前記第２検出電極の線幅と異なる
請求項３に記載のタッチパネル。
【請求項５】
前記第１検出電極のうち前記被選択走査電極と対向する部位に含まれるエッジの長さが、前記第２検出電極のうち前記被選択走査電極と対向する部位に含まれるエッジの長さと異なる
請求項３に記載のタッチパネル。
【請求項６】
前記第１検出電極および前記第２検出電極のうちいずれか一方が、前記被選択走査電極と対向する部位に１または複数の突出部を有する
請求項３に記載のタッチパネル。
【請求項７】
前記被選択走査電極の形状が場所によって異なる
請求項１または請求項２に記載のタッチパネル。
【請求項８】
前記被選択走査電極の線幅が、前記第１検出電極と対向する部位と、前記第２検出電極と対向する部位とにおいて異なる
請求項７に記載のタッチパネル。
【請求項９】
前記被選択走査電極の線幅が、前記第１検出電極と対向する部位と、前記第２検出電極と対向する部位とにおいて等しく、かつ前記第１検出電極と対向する部位に隣接する部位と、前記第２検出電極と対向する部位に隣接する部位とにおいて異なる
請求項７に記載のタッチパネル。
【請求項１０】
複数の画素電極と、
前記複数の画素電極と対向して設けられ、かつ第１方向に延在する複数の走査電極と、
表示機能を有する表示機能層と、
前記複数の走査電極と対向して設けられ、かつ前記第１方向と交差する第２方向に延在する複数の検出電極と
を備え、
前記複数の走査電極のうち、所望の単位で選択されて選択パルスが印加される１または複数の被選択走査電極と、前記複数の検出電極のうちの第１検出電極との間に形成される容量に占めるフリンジ容量の割合が、前記１または複数の被選択走査電極と、前記複数の検出電極のうちの第２検出電極との間に形成される容量に占めるフリンジ容量の割合と異なる
表示パネル。
【請求項１１】
複数の画素電極と、
前記複数の画素電極と対向して設けられた共通電極と、
表示機能を有する表示機能層と、
第１方向に延在する複数の走査電極と、
前記複数の走査電極と対向して設けられ、かつ前記第１方向と交差する第２方向に延在する複数の検出電極と、
前記画素電極と前記共通電極との間に映像信号に対応する信号電圧を印加して前記表示機能層の表示機能を発揮させる第１駆動部と、
前記複数の走査電極に選択パルスを印加する第２駆動部と、
前記複数の検出電極から得られる検出信号に基づいて外部近接物体を検出する検出部と
を備え、
前記複数の走査電極のうち、前記第２駆動部によって所望の単位で選択されて選択パルスが印加される１または複数の被選択走査電極と、前記複数の検出電極のうちの第１検出電極との間に形成される容量に占めるフリンジ容量の割合が、前記１または複数の被選択走査電極と、前記複数の検出電極のうちの第２検出電極との間に形成される容量に占めるフリンジ容量の割合と異なる
表示装置。
【請求項１２】
前記検出部は、前記第１検出電極から得られる検出信号と、前記第２検出電極から得られる検出信号との差分に基づいて物体の接触位置を検出する
請求項１１に記載の表示装置。
【請求項１３】
前記検出部は、
所定の電圧が印加された導体を画像表示面に接触させた上で、前記複数の走査電極のうち所定の走査電極に所定の固定電圧を印加したときに、前記第１検出電極から得られる第１の検出信号の値と、前記第２検出電極から得られる第２の検出信号の値とが互いに等しくなるような抵抗値の抵抗を用いて、前記第１の検出信号および前記第２の検出信号の少なくとも一方の信号レベルを補正し、
その補正後の検出信号を用いて前記外部近接物体を検出する
請求項１１または請求項１２に記載の表示装置。
【請求項１４】
前記検出部は、
所定の電圧が印加された導体を画像表示面に接触させた上で、前記複数の走査電極のうち所定の走査電極に所定の固定電圧を印加したときに、前記第１検出電極から得られる第１の検出信号の値と、前記第２検出電極から得られる第２の検出信号の値とを用いて補正係数を算出し、
その補正係数を用いて、前記第１の検出信号および前記第２の検出信号の少なくとも一方の信号レベルを補正し、
その補正後の検出信号を用いて前記外部近接物体を検出する
請求項１１または請求項１２に記載の表示装置。
【請求項１５】
複数の画素電極と、
前記複数の画素電極と対向して設けられ、かつ第１方向に延在する複数の共通電極と、
表示機能を有する表示機能層と、
前記複数の共通電極と対向して設けられ、かつ前記第１方向と交差する第２方向に延在する複数の検出電極と、
前記画素電極と前記共通電極との間に映像信号に対応する信号電圧を印加して前記表示機能層の表示機能を発揮させると共に、前記複数の共通電極に選択パルスを印加する駆動部と、
前記複数の検出電極から得られる検出信号に基づいて外部近接物体を検出する検出部と
を備え、
前記複数の共通電極のうち、前記駆動部によって所望の単位で選択されて選択パルスが印加される１または複数の被選択共通電極と、前記複数の検出電極のうちの第１検出電極との間に形成される容量に占めるフリンジ容量の割合が、前記１または複数の被選択共通電極と、前記複数の検出電極のうちの第２検出電極との間に形成される容量に占めるフリンジ容量の割合と異なる
表示装置。
【請求項１６】
前記検出部は、前記第１検出電極から得られる検出信号と、前記第２検出電極から得られる検出信号との差分に基づいて前記外部近接物体を検出する
請求項１５に記載の表示装置。
【手続補正２】
【補正対象書類名】明細書
【補正対象項目名】０００７
【補正方法】変更
【補正の内容】
【０００７】
本発明のタッチパネルは、第１方向に延在する複数の走査電極と、複数の走査電極と対向して設けられ、かつ第１方向と交差する第２方向に延在する複数の検出電極とを備えたものである。ここで、複数の走査電極のうち、所望の単位で選択され選択パルスが印加される１または複数の被選択走査電極と、複数の検出電極のうちの第１検出電極との間に形成される容量に占めるフリンジ容量の割合をＡとする。また、１または複数の被選択走査電極と、複数の検出電極のうちの第２検出電極との間に形成される容量に占めるフリンジ容量の割合をＢとする。このとき、このタッチパネルでは、割合Ａと割合Ｂが互いに異なっている。
【手続補正３】
【補正対象書類名】明細書
【補正対象項目名】０００９
【補正方法】変更
【補正の内容】
【０００９】
本発明の表示パネルは、複数の画素電極と、複数の画素電極と対向して設けられ、かつ第１方向に延在する複数の走査電極と、表示機能を有する表示機能層と、複数の走査電極と対向して設けられ、かつ第１方向と交差する第２方向に延在する複数の検出電極とを備えたものである。ここで、複数の走査電極のうち、所望の単位で選択されて選択パルスが印加される１または複数の被選択走査電極と、複数の検出電極のうちの第１検出電極との間に形成される容量に占めるフリンジ容量の割合をＡとする。また、１または複数の被選択走査電極と、複数の検出電極のうちの第２検出電極との間に形成される容量に占めるフリンジ容量の割合をＢとする。このとき、この表示パネルでは、割合Ａと割合Ｂが互いに異なっている。
【手続補正４】
【補正対象書類名】明細書
【補正対象項目名】００１０
【補正方法】変更
【補正の内容】
【００１０】
本発明の第１の表示装置は、複数の画素電極と、複数の画素電極と対向して設けられた複数の共通電極と、表示機能を有する表示機能層とを備えたものである。この表示装置は、第１方向に延在する複数の走査電極と、複数の走査電極と対向して設けられ、かつ第１方向と交差する第２方向に延在する複数の検出電極とを備えている。この表示装置は、さらに、画素電極と共通電極との間に映像信号に対応する信号電圧を印加して表示機能層の表示機能を発揮させる第１駆動部と、複数の走査電極に選択パルスを印加する第２駆動部とを備えている。加えて、この表示装置は、複数の検出電極から得られる検出信号に基づいて外部近接物体を検出する検出部を備えている。ここで、複数の走査電極のうち、第２駆動部によって所望の単位で選択されて選択パルスが印加される１または複数の被選択走査電極と、複数の検出電極のうちの第１検出電極との間に形成される容量に占めるフリンジ容量の割合をＡとする。また、１または複数の被選択走査電極と、複数の検出電極のうちの第２検出電極との間に形成される容量に占めるフリンジ容量の割合をＢとする。このとき、この表示パネルでは、割合Ａと割合Ｂが互いに異なっている。
【手続補正５】
【補正対象書類名】明細書
【補正対象項目名】００１１
【補正方法】変更
【補正の内容】
【００１１】
本発明の第２の表示装置は、複数の画素電極と、複数の画素電極と対向して設けられ、かつ第１方向に延在する複数の共通電極と、表示機能を有する表示機能層とを備えたものである。この表示装置は、複数の共通電極と対向して設けられ、かつ第１方向と交差する第２方向に延在する複数の検出電極を備えている。この表示装置は、さらに、画素電極と共通電極との間に映像信号に対応する信号電圧を印加して表示機能層の表示機能を発揮させると共に、複数の共通電極に選択パルスを印加する駆動部を備えている。加えて、この表示装置は、複数の検出電極から得られる検出信号に基づいて外部近接物体を検出する検出部を備えている。ここで、複数の共通電極のうち、駆動部によって所望の単位で選択されて選択パルスが印加される１または複数の被選択共通電極と、複数の検出電極のうちの第１検出電極との間に形成される容量に占めるフリンジ容量の割合をＡとする。また、１または複数の被選択共通電極と、複数の検出電極のうちの第２検出電極との間に形成される容量に占めるフリンジ容量の割合をＢとする。このとき、この表示パネルでは、割合Ａと割合Ｂが互いに異なっている。
【手続補正６】
【補正対象書類名】明細書
【補正対象項目名】００１２
【補正方法】変更
【補正の内容】
【００１２】
本発明のタッチパネル、表示パネル、第１の表示装置、および第２の表示装置では、第１検出電極に関する割合Ａと、第２検出電極に関する割合Ｂとが互いに異なっている。ここで、被選択走査電極（または被選択共通電極）と一の検出電極との間に形成される容量に占めるフリンジ容量の割合は、その検出電極における接触・非接触に対する感度に対応しており、この割合が大きいときには接触・非接触に対する感度が高くなり、この割合が小さいときには接触・非接触に対する感度が低くなる。つまり、本発明では、接触・非接触に対する感度の異なる検出電極が少なくとも２種類、設けられている。これにより、複数の走査電極が所望の単位で選択されたときに、第１検出電極から得られる検出信号および第２検出電極から得られる検出信号のうち、フリンジ容量の割合の大きな方の信号レベルは、フリンジ容量の割合の小さな方の信号レベルと比べて、タッチパネルに接触する指などの物体の影響を受けて大きく変動している。従って、例えば、第１検出電極から得られる検出信号と第２検出電極から得られる検出信号との差分をとることにより、検出信号から外部ノイズを除去することが可能となる。
【手続補正７】
【補正対象書類名】明細書
【補正対象項目名】００１５
【補正方法】変更
【補正の内容】
【００１５】
【図１】本発明の実施の形態に係る液晶表示装置で用いられるタッチ検出方式の動作原理を説明するための図であり、非接触時の状態を示す図である。
【図２】本発明の実施の形態に係る液晶表示装置で用いられるタッチ検出方式の動作原理を説明するための図であり、指接触時の状態を示す図である。
【図３】本発明の実施の形態に係る液晶表示装置で用いられるタッチ検出方式の動作原理を説明するための図であり、タッチセンサの駆動信号および検出信号の波形の一例を示す図である。
【図４】本発明の第１の実施の形態に係る液晶表示装置の概略構成を示す図である。
【図５】図４に示した液晶表示パネル内の画素の概略構成の一例を示す図である。
【図６】図４に示した液晶表示パネルの断面構成の一例を示す図である。
【図７】図４に示したタッチパネルの上面構成の一例を示す図である。
【図８】図４に示したタッチパネルの断面構成の一例を示す図である。
【図９】図４に示したタッチパネルの上面構成のその他の例を示す図である。
【図１０】図４に示したタッチパネルの上面構成のその他の例を示す図である。
【図１１】図４に示した走査線駆動回路の概略構成の一例を示す図である。
【図１２】図４に示した検出回路の概略構成の一例を示す図である。
【図１３】図７に示したタッチパネルにおけるフリンジ容量について説明するための概念図である。
【図１４】図７、図９、図１０のタッチパネルにおける信号の波形の一例を表す図である。
【図１５】図４に示したタッチパネルの上面構成のその他の例を示す図である。
【図１６】図４に示した検出回路の概略構成の他の例を示す図である。
【図１７】本発明の第２の実施の形態に係る液晶表示装置に搭載されたタッチパネルの上面構成の一例を示す図である。
【図１８】図１７のタッチパネルにおける信号の波形の一例を表す図である。
【図１９】本発明の第３の実施の形態に係る液晶表示装置に搭載されたタッチパネルの上面構成の一例を示す図である。
【図２０】本発明の第４の実施の形態に係る液晶表示装置に搭載されたタッチパネルの上面構成の一例を示す図である。
【図２１】本発明の第５の実施の形態に係る液晶表示装置の概略構成を示す図である。
【図２２】図２１に示した液晶表示パネル内の画素の概略構成の一例を示す図である。
【図２３】図２１に示した液晶表示パネルの断面構成の他の例を示す図である。
【図２４】図２１に示した液晶表示パネルの断面構成のその他の例を示す図である。
【図２５】図２１に示した液晶表示パネルの上面構成の一例を示す図である。
【図２６】図２１に示した液晶表示パネルの上面構成の他の例を示す図である。
【図２７】図２１に示した液晶表示パネルの上面構成のその他の例を示す図である。
【図２８】図２５、図２６、図２７に示した液晶表示パネルにおけるフリンジ容量について説明するための概念図である。
【図２９】図２１に示した液晶表示パネルの上面構成の他の例を示す図である。
【図３０】本発明の第６の実施の形態に係る液晶表示装置に搭載されたタッチパネルの上面構成の一例を示す図である。
【図３１】上記各実施の形態等の表示装置の適用例１における（Ａ）表側から見た外観、（Ｂ）裏側から見た外観を表す斜視図である。
【図３２】（Ａ）は適用例２の表側から見た外観を表す斜視図であり、（Ｂ）は裏側から見た外観を表す斜視図である。
【図３３】適用例３の外観を表す斜視図である。
【図３４】適用例４の外観を表す斜視図である。
【図３５】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【手続補正８】
【補正対象書類名】明細書
【補正対象項目名】００６３
【補正方法】変更
【補正の内容】
【００６３】
このように、本実施の形態では、検出電極２５の方が検出電極２６よりも指などの接触に対する感度が高くなっている。さらに、検出電極２５の、指などの接触に対する感度は、走査電極２２に依らず、ほぼ一定となっており、同様に、検出電極２５の、指などの接触に対する感度は、走査電極２２に依らず、ほぼ一定となっている。言い換えると、本実施の形態では、指などの接触に対する感度が互いに異なる検出電極２５，２６がタッチパネル２０に設けられていると言える。